(57)【特許請求の範囲】
【請求項１】
湿度が低い第１の部屋の天井裏あるいは床下と、湿度が高い第２の部屋の天井裏あるいは床下との間に仕切り板を有し、
換気のために前記第１の部屋の室内の空気を吸引するファンを備え、
前記第２の部屋の天井裏あるいは床下に、内部の空気を屋外に排気するための排気口又は該排気口と連通するダクトを備えており、
前記ファンにより吸引された空気が、前記第２の部屋の天井裏あるいは床下に吹き出されることで、前記第２の部屋の天井裏あるいは床下が正圧になることを特徴とする天井裏あるいは床下の換気設備。
【請求項２】
前記第１の部屋が脱衣室であり、前記第２の部屋が浴室である請求項１に記載の天井裏あるいは床下の換気設備。
【請求項３】
前記第１の部屋の室内には換気口が備わっていて、該換気口は屋外から外気を取り入れる外気取入口と外気取入側のダクトを介して連通しており、前記ファンの吸い込み力により外気を第１の室内に取り入れる請求項１または２のいずれかに記載の天井裏あるいは床下の換気設備。
【発明の詳細な説明】
【技術分野】
【０００１】
本発明は、天井裏あるいは床下を換気するための設備に関する。さらに詳しくは、浴室・サウナ室などの湿度が高い部屋の天井裏あるいは床下の空気を効率よく換気する天井裏あるいは床下の換気設備に関する。
【背景技術】
【０００２】
【特許文献１】特公平２−５５６９２号
【特許文献２】特開平１１−２２３３７０号
【特許文献３】特開２００４−４５００６号
【０００３】
浴室あるいはサウナ室等の湿度が高い部屋の天井裏を換気する場合、多くは天井内に複数の換気口を設けて自然換気を行ったり、天井内の１つの換気口に換気扇を配置し、天井裏内の空気を吸引して屋外に排気し、他の換気口から外気を自然に取り入れたりしている。
【０００４】
図３には、従来の浴室の換気設備の概略ダクト図を示す。図３の左側の部屋は脱衣室１０１であり、その脱衣室１０１に隣接する部屋は浴室１０２であり、浴室１０２に隣接する部屋はサウナ室１０３である。それら３つの部屋の天井裏は仕切り板Ｓ、Ｓにより、脱衣室の天井裏１０４と、浴室の天井裏１０５と、サウナ室の天井裏１０６とに仕切られている。
【０００５】
前記浴室の天井裏１０５には、排気ダクト１０７および外気取入ダクト１０８が延びている。その排気ダクト１０７は仕切り板を貫通してサウナ室の天井裏１０６を通って外部まで延び、浴室の天井裏１０５と外部とを連通している。前記外気取入ダクト１０８は脱衣室の天井裏１０４を通って浴室の天井裏１０５と外部とを連通している。前記排気ダクト１０７にはファン１０９が設けられ、浴室の天井裏１０５の空気を吸引して外部に排気している。外部に空気が排気されると、その分だけ、外気取入ダクト１０８から外気が取り込まれ、浴室の天井裏１０５が換気される。
【０００６】
一方、前記脱衣室１０１および浴室１０２には、それぞれ室内の空気を換気するための排気ダクト１１０、１１０および外気取入ダクト１１１、１１１が延びている。それら排気ダクト１１０および外気取入ダクト１１１は、脱衣室１０１および浴室１０２と外部とを連通する。前記排気ダクト１１０、１１０にはファン１１２、１１２が接続されており、脱衣室１０１および浴室１０２の空気を吸引して外部に排気している。外部に空気が排気されると、その分だけ、外気取入ダクト１１１から外気が取り込まれ、脱衣室１０１および浴室１０２が換気される。
【０００７】
本発明に関連する技術として特許文献１の給排気装置が開示されている。このものは、各部屋に給気口および排気口を備えており、排気口の扉を開くことにより、給気を行うものである。そのため、給排気のバランスがよいので、住宅内が負圧になって扉や窓の開閉が困難になったり、あるいは、サッシなどの笛鳴り現象を防止することができる。
【０００８】
特許文献２には、建物の換気システムおよび換気方法が開示されている。このものは、ある部屋を強制排気することにより、他の部屋を負圧にして、屋外より新鮮な空気を取り込むことにより、少ない設備費用で建物全体の換気を行う換気システムである。
【０００９】
また、特許文献３には、空気加圧送風装置が開示されている。このものは、天井裏のほぼ中央部から空気を多方向に加圧・送風することにより給気を行うものである。この装置によると、天井裏の隅の部分に発生する空気のよどみを防止することができ、カビ、菌あるいは異臭の発生を防止するのに効果がある。
【発明の開示】
【発明が解決しようとする課題】
【００１０】
浴室あるいはサウナ室等の湿度が高い部屋の天井裏は浴室内のような耐水処理がされているため、部材から天井の隙間を通して入ってくる蒸気により湿気が充満し、カビあるいは雑菌などの温床となりやすい。特に２４時間稼動するような条件においては、極めて衛生上好ましくない。そのような好ましくない環境を改善するために換気を行っている。しかし、図３の従来技術にあるように、天井裏に換気扇あるいはファンを設けて換気口より吸引排気するのでは、天井内が陰圧となり、長時間浴室を使用する施設では、目に見えない微細な隙間等から浴室内の空気を取り込み、逆効果となる。
【００１１】
また、天井内の空気流れは、外気を取り入れるための換気口から換気扇までの最短距離を通って流れるため、天井内の隅の部分に空気の流れができない空気の「よどみ」ができ、ここに湿気が溜まりやすい。そのような「よどみ」は、カビや雑菌の温床となり、不快な臭いの発生源ともなる。
【００１２】
特許文献１および２では、天井裏や床下の換気について考慮されていない。また、特許文献３では、天井裏の換気は効率的に行えるが、部屋内の換気設備と別個に設けるので、設備が煩雑で、設置費用も高い。
【００１３】
そこで、本発明では、天井あるいは床下を効率よく換気し、かつ、設備が簡易である天井あるいは床下の換気設備を提供することを課題とする。
【課題を解決するための手段】
【００１４】
本発明の天井裏あるいは床下の換気設備（請求項１）は、湿度が低い第１の部屋の天井裏あるいは床下と、湿度が高い第２の部屋の天井裏あるいは床下との間に仕切り板を有し、換気のために前記第１の部屋の室内の空気を吸引するファンを備え、前記第２の部屋の天井裏あるいは床下に、内部の空気を屋外に排気するための排気口又は該排気口と連通するダクトを備えており、前記ファンにより吸引された空気が、前記第２の部屋の天井裏あるいは床下に吹き出されることで、前記第２の部屋の天井裏あるいは床下が正圧になることを特徴としている。
【００１５】
このような天井裏あるいは床下の換気設備は、前記第１の部屋が脱衣室であり、前記第２の部屋が浴室であるものが好ましい（請求項２）。また、前記第１の部屋の室内には換気口が備わっていて、該換気口は屋外から外気を取り入れる外気取入口と外気取入側のダクトを介して連通しており、前記ファンの吸い込み力により外気を第１の室内に取り入れるものが好ましい（請求項３）。
【発明の効果】
【００１６】
本発明の天井あるいは床下の換気設備（請求項１）は、湿度が低い第１の部屋の室内の空気をファンにより吸引している。そのため、第１の部屋の室内は負圧となるので、外気が自然と取り込まれ換気される。次いで、ファンにより吸引された第１の部屋の室内の空気は、湿度の高い第２の部屋の天井裏あるいは床下に吹出される。そのため、第２の部屋の天井裏あるいは床下は正圧となり、ファンの押込みによって天井裏の空気が攪拌される
ため、天井裏あるいは床下の内部のすみずみまで効率よく換気することができ、カビや雑菌の温床となるのを防止することができ、また、浴室からの湿気の侵入を防ぐことができるので、異臭の発生を防ぐことができるので、清潔である。また、大掛かりな設備を導入しなくても、既存の設備を流用して天井裏あるいは床下を効率よく換気することができる。
さらに、ファンにより吸引された第１の部屋の室内の空気が第２の部屋の天井裏あるいは床下に吹き出されることにより、天井裏あるいは床下の湿度の高い空気が置換され、あるいは希釈されるので、天井裏あるいは床下の湿度を下げることができる。
【００１７】
このような天井裏あるいは床下の換気設備は、前記第１の部屋が脱衣室であり、前記第２の部屋が浴室である場合（請求項２）は、脱衣室を換気するために排気される空気を浴室の天井裏に吹き出させて再利用できる。そのため、浴室の天井裏の換気のための設備を新たに必要としないので、設備が簡易である。また、既存の設備に導入するのも容易である。
また、前記第１の部屋の室内には換気口が備わっていて、該換気口は屋外から外気を取り入れる外気取入口と外気取入側のダクトを介して連通しており、前記ファンの吸い込み力により外気を第１の室内に取り入れる場合（請求項３）は、ファンが室内の空気を吸引すると、換気口より自然に外気が取り入れられる。一方、ファンにより空気が天井裏に吹き出されると、排気口より自然に天井裏の空気が排気される。そのため、スムーズな空気流れを形成することができ、圧損が少なく、小さなファンを用いることができる。
【発明を実施するための最良の形態】
【００１９】
つぎに図面を参照しながら本発明の天井裏あるいは床下（以下、天井裏等という）の換気設備の実施形態を説明する。図１は本発明の天井裏等の換気設備を示す概略ダクト図、図２は図１の天井裏等の換気設備を用いた浴室建屋を示す概略ダクト図である。
【００２０】
図１に示す天井裏等の換気設備１は、湿度が低い第１の部屋２の空気と、湿度が高い第２の部屋３の天井裏３ａを同時に換気する設備である。前記部屋２の天井裏２ａには、ファン４が配置されており、そのファン４の吸引側を部屋２側に、吹出し側を天井裏３ａ側に接続する。
【００２１】
また、前記天井裏３ａとしたが、床下であってもよい。
【００２２】
前記第１の部屋２とその部屋の天井裏２ａとは、天井板５ａにより仕切られている。その天井板５ａには吸引口６ａと換気口６ｂが形成されている。その吸引口６ａは吸引側のダクト７ａによりファン４の吸引側に接続されている。一方、換気口６ｂは外気取入側のダクト７ｂを介して外壁に設けられた外気取入口８と通じている。前記ファン４が作動すると、第１の部屋２の空気は吸引され、第１の部屋２は負圧となる。そのため、前記換気口６ｂから第１の部屋２内に自然に外気が流れ込み、第１の部屋２内が換気される。
【００２３】
また、前記第１の部屋２の天井裏２ａと、第２の部屋３の天井裏３ａは仕切り板５ｂにより仕切られている。その仕切り板５ｂには吹出口９ａが形成されている。その吹出口９ａは吹出用のダクト７ｃによりファン４の吹き出し側に接続されている。前記天井裏３ａには、内部の空気を排気するための排気口９ｂが形成されている。前記ファン４が作動すると、吹出口９ａからは換気のための第１の部屋２の空気が吹き出し、天井裏３ａの内部は正圧になる。そして、排気口９ｂより余剰の空気が排気される。前記吹出口９ａから換気のための空気が吹き出すことにより、天井裏３ａの静圧は０より大きくなっている。そのため、天井裏３ａの内部の隅々まで空気が流れて、空気が流れにくい「よどみ」（デッドスポット）を作らないので、湿気が溜まりにくく、カビや雑菌の温床とならず、異臭の発生を防止できる。
【００２４】
前記ファン４としては、遠心送風機、軸流送風機あるいは斜流送風機などが用いられる。また、前記吸引側のダクト７ａ、外気取入側のダクト７ｂおよび吹出用のダクト７ｃは、ステンレスまたは亜鉛メッキ鋼板などの薄い金属板を用いたものであり、蛇腹状またはスパイラル状に形成し、屈曲性、伸縮性を備えたものである。
【００２５】
このように、天井裏等の換気設備１によれば、第１の部屋２内の空気を吸引することにより外気を自然に取り込んで第１の部屋２の換気を行うと同時に、吸引した第１の部屋２内の空気により第２の部屋の天井裏３ａあるいは床下など換気することができる。さらに、天井裏３ａあるいは床下の四隅の部分に空気の流れない部分である「よどみ」を作らない。そのため、天井裏３ａあるいは床下を効率よく換気できるので、清潔である。また、新たな設備を導入しなくても既存の設備を利用して構築しやすい。
【００２６】
また、前記第１の部屋２は複数個であってもよい。さらに、吹き出す空気の一部に他の部屋の空気あるいは外気を混ぜて天井裏３ａに吹き出してもよい。また、風量調整ダンパを用いて、天井裏３ａに吹き出す空気の量を調整することができる。さらに、湿度が一定に保たれている調整された空気を用いて換気する場合には、調整された空気をそのまま外部に捨てないで、天井裏等の換気設備１を用いて再利用すると、乾いた調整された空気を最後まで使い切ることができるので省エネである。
【００２７】
なお、仕切り板５ｂに形成された吹出口９ａに、防火ダンパなどを設けて、火災の延焼を防ぐのが好ましい。
【００２８】
次に、本発明の天井裏等の換気設備１を出走前の競馬の騎手が滞在する宿舎に適用する実施形態を図２の概略図を用いて説明する。図２に示す浴室建屋１０は、図中の左方から脱衣室１１と、その脱衣室１１に隣接する前室１２と、その前室１２と隣接する休養室１３と、その休養室１３と隣接する浴室１４と、さらに、その浴室１４の右方に隣接しているサウナ室１５とからなる。
【００２９】
前記脱衣室１１は通常は常時、外気が取り入れられて換気されている。前記前室１２は脱衣室１１と休養室１３との間に配置されている。その前室１２には、休養室１３側の湿度の高い空気が脱衣室１１側に流れないよう脱衣室１１側と休養室１３側とのそれぞれに扉を設けている。なお、前室１２は換気されていない。前記休養室１３および浴室１４は温度が約４０度で、湿度が約１００％に設定されている。これら休養室１３および浴室１４は通常、換気されている。サウナ室１５は温度が約４５度で、湿度が約１００％である。サウナ室１５は換気されていない。
【００３０】
前記浴室建屋１０の外壁には、換気のための空気を外気から取り込むためのアウトレットエアガラリ（ＯＡＧ）２３と、各室内の空気を外部に排気するためのエグゾーストエアガラリ（ＥＡＧ）２４が設けられている。それらＯＡＧ２３とＥＡＧ２４には、外気の取り込みあるいは外部への排気を行うための必要なダクトがまとめて接続されている。前記ガラリ２３、２４は複数枚の羽根が水平に配置されており、その羽根を開口部の邪魔をするように傾斜させて配置することにより、外部から雨水の浸入を防ぐものである。
【００３１】
前記浴室建屋１０の天井裏は各部屋の仕切り壁と対応する４枚の仕切り板２１ａ、２１ｂ、２１ｃ、２１ｄにより仕切られている。それらの仕切り板は、図中の左側から順に脱衣室と前室の仕切り板２１ａ、前室と休養室の仕切り板２１ｂ、休養室と浴室の仕切り板２１ｃおよび浴室とサウナ室の仕切り板２１ｄである。それら４枚の仕切り板２１ａ、２１ｂ、２１ｃ、２１ｄにより天井裏は、脱衣室の天井裏１６と、前室の天井裏１７と、休養室の天井裏１８と、浴室の天井裏１９とサウナ室の天井裏２０とに仕切られている。
なお、休養室と浴室の天井裏の仕切り板２１ｃおよび浴室とサウナ室の天井裏の仕切り板２１ｄには壁貫通スリーブ２７、２７が設けられ、休養室の天井裏１８、浴室の天井裏１９およびサウナ室の天井裏２０は互いに連通している。
【００３２】
前記浴室建屋１０の下方の部屋１１、１２、１３、１４および１５と、それらと対応する上方の天井裏１６、１７、１８、１９および２０とは天井板２２ａ、２２ｂ、２２ｃ、２２ｄにより隔てられている。その天井板は、それぞれ脱衣室の天井板２２ａ、休養室の天井板２２ｂ、浴室の天井板２２ｃおよびサウナ室の天井板２２ｄである。
【００３３】
前記換気設備１のファン４は、低湿度の脱衣室の天井裏１６付近に配置されている。その換気設備１の吸引口６ａおよび換気口６ｂは脱衣室の天井板２２ａに形成されている。そして、吸引口６ａは吸引側のダクト７ａによりファン４に接続され、換気口６ｂは外気取入側のダクト７ｂを介してＯＡＧ２３（取入口８）に接続されている。前記ファン４の吹出側にはボリュームダンパ２５が配置され、吹き出す空気の量が調節できる。また、ボリュームダンパ２５に続いてチャッキダンパ２６が設けられている。
【００３４】
前記ファン４から吹き出される空気は吹出用のダクト７ｃにより高湿度の部屋の天井裏１８、１９、２０に導かれる。その吹出用のダクト７ｃは、脱衣室と前室の仕切り板２１ａおよび前室と休養室の仕切り板２１ｂを貫通して、休養室の天井裏１８まで延び、そこで分岐し吹出口９ａを形成している。
前記吹出用のダクト７ｃの本体は、さらに休養室と浴室の仕切り板２１ｃおよび浴室とサウナ室の仕切り板２１ｄを貫通して延びている。そして、浴室の天井裏１９およびサウナ室の天井裏２０のそれぞれで分岐し、吹出口９ａ、９ａを形成している。
【００３５】
前記休養室の天井裏１８、浴室の天井裏１９およびサウナ室の天井裏２０は壁貫通スリーブ２７により連通しているため、それら３つの天井裏の静圧はほぼ同じである。そのため、手前の休養室の天井裏１８にだけ多くの換気空気が吹き出されることがない。休養室の天井裏１８および浴室の天井裏１９の上方の屋根付近には、複数個のベントキャップ９ｂ（排気口）が設けられている。また、サウナ室の天井裏２０には、前記ＥＡＧ２４の上方にベントキャップ９ｂが設けられている。
【００３６】
一方、脱衣室の天井板２２ａ、休養室の天井板２２ｂおよび浴室の天井板２２ｃには、それぞれ吸引口２８、２８、２８が形成されており、吸引用のダクト２９ａ、２９ａ、２９ａを介してサウナ室の天井裏２０に配置された第２のファン３０、３０、３０の吸引側に接続されている。それにより、脱衣室１１、休養室１３および浴室１４の室内の空気は、第２のファン３０によって吸引して排気される。前記第２のファン３０の吹き出し側にはボリュームダンパ２５、２５、２５と、そのボリュームダンパ２５に続いてチャッキダンパ２６、２６、２６が設けられており、吹き出しの風量を絞ることにより、吸引する空気の量を調節したり、その風路を遮断したりすることができる。そして、チャッキダンパ２６、２６、２６を介してＥＡＧ２４に接続されている。
【００３７】
また、前記休養室の天井板２２ｂと浴室の天井板２２ｃには換気口３１、３１が形成されており、流入用のダクト２９ｂ、２９ｂによりＯＡＧ２３に接続されている。なお、前記脱衣室１１では、前述したように換気口６ｂが外気取入側のダクト７ｂを介してＯＡＧ２３に接続されている。
【００３８】
前記ファン３０により空気が吸引されると、その吸引された分だけ、ＯＡＧ２３より外気が流入して、換気される。そのため、脱衣室１１、休養室１３および浴室１４の静圧はほぼ±０である。また、換気されていない前室１２およびサウナ室１５の静圧もほぼ±０である。
一方、天井裏では、換気されていない脱衣室の天井裏１６および前室の天井裏１７の静圧はほぼ±０であるが、ファン４により脱衣室１１の空気が吹き出されている休養室の天井裏１８、浴室の天井裏１９およびサウナ室の天井裏２０では静圧が０より大きい。そのため、天井裏の四隅の部分に空気の流れない部分である「よどみ」を作らず、効率よく換気することができる。さらに、下方に配置された休養室１３、浴室１４およびサウナ室１５から立ち上る湿気が天井裏に侵入するのを防止することができる。
また、脱衣室１１の換気ファン４が吹き出す湿度が低い調整済みの空気を利用して、休養室１３、浴室１４およびサウナ室１５のそれぞれの天井裏１８、１９、２０を換気すると、省エネであり、湿度の高い天井裏１８、１９、２０の換気用のファンを省略できる。
【図面の簡単な説明】
【００３９】
【図１】図１は本発明の天井裏等の換気設備を示す概略ダクト図である。
【図２】図２は図１の天井裏等の換気設備を用いた浴室建屋を示す概略ダクト図である。
【図３】図３は従来の浴室の換気設備の概略ダクト図を示す。
【符号の説明】
【００４０】
１  天井等の換気設備
２  第１の部屋
２ａ  天井裏
３  第２の部屋
３ａ  天井裏
４  ファン
５ａ  天井板
５ｂ  仕切り板
６ａ  吸引口
６ｂ  換気口
７ａ  吸引側のダクト
７ｂ  外気取入側のダクト
７ｃ  吹出用のダクト
８  外気取入口
９ａ  吹出口
９ｂ  排気口（ベントキャップ）
１０  浴室建屋
１１  脱衣室
１２  前室
１３  休養室
１４  浴室
１５  サウナ室
１６  脱衣室の天井裏
１７  前室の天井裏
１８  休養室の天井裏
１９  浴室の天井裏
２０  サウナ室の天井裏
２１ａ  脱衣室と前室の仕切り板
２１ｂ  前室と休養室の仕切り板
２１ｃ  休養室と浴室の仕切り板
２１ｄ  浴室とサウナ室の仕切り板
２２ａ  脱衣室の天井板
２２ｂ  休養室の天井板
２２ｃ  浴室の天井板
２２ｄ  サウナ室の天井板
２３  ＯＡＧ（アウトレットエアガラリ）
２４  ＥＡＧ（エグゾーストエアガラリ）
２５  ボリュームダンパ
２６  チャッキダンパ
２７  壁貫通スリーブ
２８  吸引口
２９ａ  吸引用のダクト
２９ｂ  流入用のダクト
３０  第２のファン
３１  換気口
【図１】
0004818690.tif 000002
【図２】
0004818690.tif 000003
【図３】
0004818690.tif 000004